(57)【特許請求の範囲】
【請求項１】
空気吸排口と水蒸気の排出口を有する容器本体を有し、該容器本体に除湿剤が収納され、該容器本体は仕切板により仕切られて除湿部と再生部とが形成され、前記容器本体にはモーターの回転により回転駆動されるファンが設けられ、前記除湿部と再生部とを仕切る仕切板の下部に連通部が形成され、前記再生部の、前記連通部より高い位置には熱源が設けられ、前記水蒸気の排出口に連続して冷却部が設けられ、該冷却部は前記水蒸気の排出口の上部の集結部と該集結部に連続して下方に傾斜する傾斜部とを有し、前記冷却部の少なくとも集結部を通る位置に通風路を形成し、該通風路は一端の開口部を空気吸排口側に向けて配置すると共に、前記通風路内に前記ファンを設け、前記ファンの回転により空気吸排口側から除湿部に向けて強制的に空気を送り込むようになされて該空気を除湿すると共に、前記通風路に空気が流れて冷却部を強制的に冷却し、前記除湿剤が吸収した水分を再生部の熱源により蒸発させて前記除湿剤を再生し得るようになされ、前記水蒸気の排出口の上部の冷却部にて水蒸気を再び液化し、冷却部の下方に設けられた貯水部に貯水して前記容器本体の外部に排出し、除湿と除湿剤の再生を同時に行うことができるようになされていることを特徴とする押し入れや部屋、または下駄箱の内部に設置される除湿器。
【発明の詳細な説明】
【０００１】
【発明の属する技術分野】
本発明は除湿器に関し、更に詳細に説明すると、湿った空気を容器本体に収納した除湿剤により吸湿させる押し入れや部屋、または下駄箱の内部に設置される除湿器に関する。
【０００２】
【従来の技術】
従来より、押入れや部屋、または下駄箱の内部の空気を乾燥させるために種々の除湿器が提案されている。
また吸湿性のよい塩化カルシウムや塩化マグネシウム等の潮解性乾燥剤を用いた除湿器や、通風路内の途中に電子冷却素子を設け、通風路内に湿気の多い空気を流すことにより結露させ除湿する除湿器（実開平５−１３５２４号公報）等が存在し、また潮解性乾燥剤の除湿効率を向上させるためにファンで強制的に除湿を行う除湿器も提案されている。
【０００３】
潮解性乾燥剤を用いた除湿器においては、塩化カルシウム等の潮解性除湿剤、乾燥剤がなくなった場合に、容器本体内にたまった水分を廃棄し、新しい除湿剤、乾燥剤を充填する必要があった。このため、特開平２−１４９３１１号公報、特開平２−２２７１１５号公報、特開平３−２１３１２１号公報等に示されるように、吸湿後、温風を通すか若しくは除湿剤近傍を加熱し、除湿剤に吸着された水分を分離除去し、除湿剤の再生を行うようにした除湿器が提案されている。
【０００４】
【発明が解決しようとする課題】
然し乍ら、従来の除湿器は除湿剤の交換が必要であったり、除湿装置が複雑でコストアップとなると共に、除湿効率も悪いものであった。また除湿剤の再生を行う場合に、除湿と再生を同時に行えず、連続除湿が行えない欠点を有し、利便性が悪く取扱いが不便なものであった。
【０００５】
本発明の目的は、除湿剤の詰め替えが必要なく、構造が簡単で安価に製造することができ、省エネルギーで効率よく除湿が行え、然も除湿と除湿剤の再生とを同時に行うことのできる経済性に優れた押し入れや部屋、または下駄箱の内部に設置される除湿器を提供するものである。
【０００６】
【課題を解決するための手段】
本発明は上述せる課題に鑑みてなされたもので、本発明の請求項１に記載の押し入れや部屋、または下駄箱の内部に設置される除湿器は、空気吸排口と水蒸気の排出口を有する容器本体を有し、該容器本体に除湿剤が収納され、該容器本体は仕切板により仕切られて除湿部と再生部とが形成され、前記容器本体にはモーターの回転により回転駆動されるファンが設けられ、前記除湿部と再生部とを仕切る仕切板の下部に連通部が形成され、前記再生部の、前記連通部より高い位置には熱源が設けられ、前記水蒸気の排出口に連続して冷却部が設けられ、該冷却部は前記水蒸気の排出口の上部の集結部と該集結部に連続して下方に傾斜する傾斜部とを有し、前記冷却部の少なくとも集結部を通る位置に通風路を形成し、該通風路は一端の開口部を空気吸排口側に向けて配置すると共に、前記通風路内に前記ファンを設け、前記ファンの回転により空気吸排口側から除湿部に向けて強制的に空気を送り込むようになされて該空気を除湿すると共に、前記通風路に空気が流れて冷却部を強制的に冷却し、前記除湿剤が吸収した水分を再生部の熱源により蒸発させて前記除湿剤を再生し得るようになされ、前記水蒸気の排出口の上部の冷却部にて水蒸気を再び液化し、冷却部の下方に設けられた貯水部に貯水して前記容器本体の外部に排出し、除湿と除湿剤の再生を同時に行うことができるようになされていることを特徴とする。
【０００７】
本発明の請求項１に記載の押し入れや部屋、または下駄箱の内部に設置される除湿器によれば、空気吸排口と水蒸気の排出口を有する容器本体を有し、該容器本体に除湿剤が収納されているので、この除湿剤により空気中の湿気が吸収され、また前記除湿部と再生部とを仕切る仕切板の下部に連通部が形成され、除湿剤の水分は除湿部と連通する再生部に連通部を介して導かれ、前記再生部には熱源が設けられ、前記水蒸気の排出口に連続して冷却部が設けられ、該冷却部は前記水蒸気の排出口の上部の集結部と該集結部に連続して下方に傾斜する傾斜部とを有し、前記冷却部の少なくとも集結部を通る位置に通風路を形成し、該通風路は一端の開口部を空気吸排口側に向けて配置され、前記除湿剤が吸収した水分を再生部の熱源により加熱して蒸発させ、前記除湿剤を再生することができ、除湿と除湿剤の再生を同時に行うことができ、前記容器本体にはモーターの回転により回転駆動されるファンが設けられているので、ファンの回転により空気吸排口側へ強制的に空気を送り込むようになされていると共に冷却部を強制的に冷却することができ、前記熱源により加熱されて蒸発した水蒸気を排出口より排出し、排出口に連続する冷却部にて水蒸気を再び冷却して液化させ、前記容器本体の外部に排出することができる。
【０００８】
【発明の実施の形態】
以下本発明に係る除湿器を図面を参照して詳述する。
図１には本発明に係わる除湿器の実施の形態の概略が示されており、この除湿器１１は合成樹脂製の容器本体１２を有し、この容器本体１２には除湿剤１３が収納される。
【０００９】
この除湿剤１３は塩化カルシウム、塩化マグネシウム等の潮解性塩類を水に溶かしたもの、または吸水して液状になったものから形成されているが、除湿剤１３としては水分を吸収して潮解現象を起こすものが使用できる。この除湿剤１３の具体例としては、塩化カルシウム水溶液、塩化マグネシウム水溶液等がある。
【００１０】
前記容器本体１２は仕切板１４により仕切られて除湿部１５と再生部１７とが形成されている。前記除湿部１５と再生部１７とを仕切る仕切板１４の下部に連通部１９が形成され、除湿部１５と再生部１７とが下部の連通部１９により連通されている。従って、除湿部１５と再生部１７の除湿剤１３の濃度が均一となるようになされている。尚、この連通部１９は除湿部１５で吸収した水分が再生部１７に移行し得るものであればよく、連通部１９は小さい程好ましい。
【００１１】
また前記容器本体１２の上部に空気吸排口２１と水蒸気２６の排出口２３が形成されている。この空気吸排口２１と水蒸気２６の排出口２３は、本実施の形態では開放口として形成されているが、空気吸排口２１と水蒸気２６の排出口２３の上部を通気性を有する蓋部材等により覆うものであってもよい。
【００１２】
前記再生部１７には熱源としてのヒーター２５が設けられ、このヒーター２５は酸化被膜抵抗、バンドヒーター等からなり、このヒーター２５には図示しない電源が接続される。前記除湿部１５の除湿剤１３が吸収した水分を再生部１７の熱源としてのヒーター２５により蒸発させ、蒸発した水蒸気２６を再生部１７の上部に形成された水蒸気２６の排出口２３より排出し、除湿剤１３の吸収した水分を分離除去して再生することができる。尚、熱源としてのヒーター２５の作動を、例えば間欠的に作動させて調整し、除湿剤１３の再生速度を調整することができる。
【００１３】
本発明によれば、湿気を含んだ空気は空気吸排口２１より除湿部１５に入り、除湿部１５側の除湿剤１３と接触することにより除湿され、乾燥した空気は空気吸排口２１より排出される。前記除湿部１５で吸収された水分は仕切板１４の下部の連通部１９を通って移行し、容器本体１２の除湿部１５と再生部１７の除湿剤１３の濃度が均一となる。
【００１４】
また、再生部１７では、熱源としてのヒーター２５により再生部１７側の除湿剤１３が加熱され、再生部１７側の除湿剤１３中の水分が蒸発され、この蒸発した水分は水蒸気２６となって水蒸気２６の排出口２３より排出される。再生部１７側の除湿剤１３中の水分が蒸発されることにより容器本体１２の除湿部１５と再生部１７の除湿剤１３の濃度が濃縮された状態となり、除湿剤１３が再生される。この際、除湿部１５側の除湿剤１３は加熱されていないので、除湿部１５側より水蒸気２６が発生するのを防止することができる。
【００１５】
本発明の実施の形態は、前記容器本体１２にモーターの回転により回転駆動されるファン２８を設けたもので、このファン２８の回転により空気吸排口２１側より強制的に空気を除湿部１５に送り込み、強制的に除湿することができるようになされている。尚、前記ファン２８はシロッコファン等を用いることができる。
【００１６】
またファン２８による空気の流入量を調整することにより除湿速度を調整することができる。またファン２８は間欠的に作動させることができる。更に前記除湿剤１３のヒーター２５による再生速度とファン２８による除湿速度とを適宜調整することができる。また容器本体１２の内部に水位センサーを設け、この水位センサーからの水位検出信号によりヒーター２５及びファン２８を駆動制御することもできる。
【００１７】
また、前記水蒸気２６の排出口２３に連続して水蒸気２６の冷却部３１が設けられ、この冷却部３１は本実施の形態ではアルミ板等の比熱の大きい金属冷却板等から形成されている。
【００１８】
前記冷却部３１は、水蒸気２６の排出口２３の上方を覆い、水蒸気２６を集める集結部３１ａと、集結部３１ａで集められ、且つ冷却され結露した水滴を２６ａを容器本体１２の外部に設けられた貯水部３３に導く傾斜部３１ｂと、垂直部３１ｃとを有している。
【００１９】
冷却部３１にフィンを設けることにより冷却効果を向上させることができる。尚、冷却部３１として電子冷却素子を用いることもできる。
【００２０】
前記除湿剤１３が吸収した水分を再生部１７の熱源としてのヒーター２５により蒸発させて前記除湿剤１３を再生し、前記ヒーター２５により蒸発させた水蒸気２６を排出口２３より排出し、排出口２３に連続する冷却部３１の集結部３１ａにて水蒸気２６を再び結露させ、結露された水滴２６ａを前記容器本体１２の外部に設けられた貯水部３３に冷却部３１の傾斜部３１ｂと、垂直部３１ｃにより導き、貯水するようになされている。尚、符号２６ｂは水滴２６ａが集められた水である。
【００２１】
図１に示す実施の形態によれば、湿気を含んだ空気は空気吸排口２１より除湿部１５に入り、除湿部１５側の除湿剤１３と接触することにより除湿され、除湿剤１３が吸収した水分を再生部１７の熱源としてのヒーター２５により蒸発させ、水蒸気２６を排出口２３より排出し、排出口２３に連続する冷却部３１にて水蒸気２６を再び結露させ、結露された水滴２６ａを貯水部３３に貯水することができるので、例えば１つの室内等において除湿器１１を用いた場合にも、水蒸気２６を水２６ｂという形で捕捉することができる。
【００２２】
尚、冷却部３１の少なくとも集結部３１ａの上部を通る位置に通風路４１を形成し、この通風路４１の一端の開口部４１ａを空気吸排口２１側に向けて配置し、通風路４１にファン２８を設け、ファン２８により冷却部３１を空冷し、冷却部３１の強制冷却作用と強制除湿作用を行うこともできる。
【００２３】
図２乃至図５には、本発明の異なる実施の形態が示されており、図１に示す実施の形態と対応する部分には同一符号を付してこれ以上の詳細説明はこれを省略するも、前記容器本体１２の下部に比較的大型の貯水部３３を配置し、容器本体１２の除湿部１５の上方にファン２８を配置した構成を有する。このファン２８の内側に吸込口２８ａを形成するようにモーター２９が配置されている。前記貯水部３３の上部に注入口３３ａが形成されている。
【００２４】
また、冷却部３１の上部を通る位置に通風路４１を形成し、この通風路４１の一端の開口部４１ａをファン２８の内側の吸込口２８ａに向けて配置し、ファン２８の内側の吸込口２８ａより吸込まれた空気がファン２８の外側へ吹き出され、空気吸排口２１から除湿部１５に向けて吹き出すように形成されている。尚、符号２５ａはヒーター２５のコードであり、また２９ａはモーター２９のコードである。
【００２５】
前記冷却部３１は水平状態より多少傾斜する水蒸気２６の集結部３１ａと、集結部３１ａで集められ、且つ冷却され結露した水滴２６ａを容器本体１２の外部に設けられた貯水部３３に導くロート状の傾斜部３１ｂとを有している。
この冷却部３１の下端３１ｄが貯水部３３の注入口３３ａに挿入されている。また通風路４１の他端の開口部４１ｂ側は冷却部３１の上部に当接し、通風路４１に空気が流れることにより、冷却部３１の上部が冷却されるので、冷却部３１の強制冷却作用と強制除湿作用を行うことができるものである。
【００２６】
【発明の効果】
以上が本発明に係る除湿器の実施の形態であるが、本発明の請求項１記載の押し入れや部屋、または下駄箱の内部に設置される除湿器は、空気吸排口と水蒸気の排出口を有する容器本体を有し、該容器本体に除湿剤が収納され、該容器本体は仕切板により仕切られて除湿部と再生部とが形成され、前記容器本体にはモーターの回転により回転駆動されるファンが設けられ、前記除湿部と再生部とを仕切る仕切板の下部に連通部が形成され、前記再生部の、前記連通部より高い位置には熱源が設けられ、前記水蒸気の排出口に連続して冷却部が設けられ、該冷却部は前記水蒸気の排出口の上部の集結部と該集結部に連続して下方に傾斜する傾斜部とを有し、前記冷却部の少なくとも集結部を通る位置に通風路を形成し、該通風路は一端の開口部を空気吸排口側に向けて配置すると共に、前記通風路内に前記ファンを設け、前記ファンの回転により空気吸排口側から除湿部に向けて強制的に空気を送り込むようになされて該空気を除湿すると共に、前記通風路に空気が流れて冷却部を強制的に冷却し、前記除湿剤が吸収した水分を再生部の熱源により蒸発させて前記除湿剤を再生し得るようになされ、前記水蒸気の排出口の上部の冷却部にて水蒸気を再び液化し、冷却部の下方に設けられた貯水部に貯水して前記容器本体の外部に排出し、除湿と除湿剤の再生を同時に行うことができるようになされているので、ファンの回転により空気吸排口側へ強制的に空気を送り込むことができると共に冷却部を強制的に冷却することができ、前記熱源により加熱されて蒸発した水蒸気を排出口より排出し、排出口に連続する冷却部にて水蒸気を再び冷却して液化させ、前記容器本体の外部に排出することができる。
【００２７】
本発明によれば、除湿剤の詰め替えが必要なく、構造が簡単で安価に製造することができ、省エネルギーで効率よく除湿が行え、然も除湿と除湿剤の再生とを同時に行うことのできる経済性に優れた押し入れや部屋、または下駄箱の内部に設置される除湿器を得ることができる。
【図面の簡単な説明】
【図１】  本発明に係わる除湿器の概略構成を示す側断面説明図。
【図２】  本発明に係わる除湿器の実施の形態の概略構成を示す側断面説明図。
【図３】  本発明に係わる除湿器の実施の形態の正面図。
【図４】  本発明に係わる除湿器の実施の形態の背面図。
【図５】  本発明に係わる除湿器の実施の形態の正面断面図。
【符号の説明】
１１    除湿器
１２    容器本体
１３    除湿剤
１４    仕切板
１５    除湿部
１７    再生部
１９    連通部
２１    空気吸排口
２３    水蒸気の排出口
２５    熱源としてのヒーター
２６    水蒸気
２６ａ  水滴
２６ｂ  水
２８    ファン
２８ａ  吸込口
２９    モーター
３１    冷却部
３１ａ  集結部
３１ｂ  傾斜部
３１ｃ  垂直部
３３    貯水部
３３ａ  注入口
４１    通風路
４１ａ  開口部
４１ｂ  開口部
【図１】
0003944261.tif 000002
【図２】
0003944261.tif 000003
【図３】
0003944261.tif 000004
【図４】
0003944261.tif 000005
【図５】
0003944261.tif 000006